(57)【要約】      （修正有）【課題】ヘルメット装着時に、ヘルメット内部の熱や湿気のこもった空気を効率よく換気し、ヘルメット内部を常に快適な状態に保ち、作業効率の低下や安全性の低下を来さない吸排気機能付ヘルメットの提供。【解決手段】ダクト前部４は、前部とヘルメット内部とを連通する外気吸入ファン７及び外気吸入孔６が設けられ、末端の開口部を吸気口９とする外気吸入部を構成し、ダクト後部５は、後部とヘルメット内部とを連通する排気ファン８が設けられ、末端の開口部を排気口１０とする排気部を構成し、頭部に密着してヘルメットを保持するための頭部保持帯１２とヘルメット本体１との間隙は充填材１３が設置され封鎖されているヘルメット。【選択図】図１
2018104826.tif 000002
【特許請求の範囲】
【請求項１】
ヘルメット本体の外表面に、頭頂部から後頭部下端まで連続して延び、その両末端は開口部となっている吸排気ダクトが設けられ、
吸排気ダクトは隔壁により、頭頂部近傍のダクト前部と、該前部に続き後頭部下端まで延びるダクト後部とに分割されており、
ダクト前部は、該前部とヘルメット内部とを連通する外気吸入ファン及び外気吸入孔が設けられ、末端の開口部を吸気口とする外気吸入部を構成し、
ダクト後部は、該後部とヘルメット内部とを連通する排気ファンが設けられ、末端の開口部を排気口とする排気部を構成し、
頭部に密着してヘルメットを保持するための頭部保持帯とヘルメット本体との間隙は充填材が設置され封鎖されている
ことを特徴とする吸排気機能付ヘルメット。
【請求項２】
ヘルメットの着用者の左右のこめかみ部に相当する部分の二箇所に、遮音パッド部が充填材に設けられていることを特徴とする請求項１に記載の吸排気機能付きヘルメット。
【請求項３】
前記外気吸入孔を覆うことのできるスライド式防護カバーが、吸排気ダクトのダクト天井部にスライド移動可能に取付けられていることを特徴とする請求項１もしくは２に記載の吸排気機能付ヘルメット。
【請求項４】
前記ダクト前部の末端の開口部にＬＥＤで構成される照明具を挿入装着したことを特徴とする請求項１〜３のいずれか一項に記載の吸排気機能付ヘルメット。
【請求項５】
ヘルメット本体の内表面にリチウムイオン電池を取付けたことを特徴とする請求項１〜４のいずれか一項に記載の吸排気機能付ヘルメット。
【発明の詳細な説明】
【技術分野】
【０００１】
本発明は、各種の工事現場や工場内での作業などで使用される頭部保護用装着物であるヘルメットに関する。
【背景技術】
【０００２】
外部からの衝撃に対して頭部を保護するためのヘルメットは、堅固な材料により製作されたヘルメット本体をハンモックなどの帯体を用いて頭部に装着して用いられる。この場合、ヘルメット内部と外部とは通気性がなく内部に熱がこもりやすく、蒸れを生じることが多い。特に夏期における屋外作業や高温となる作業場などの環境下で作業を行う場合には、頭部近辺に熱気がこもり蒸し暑くなって、安全性や作業効率の低下をきたすことになる。
【０００３】
そのため、これまでにヘルメットにファンを配置してヘルメット内部を換気することが提案されている。例えば特許文献１には、ヘルメット頭頂部に空気吸引口を開設し、この吸引口の内側に組み付けた送風ファンによりヘルメット外部より空気を取り込み、ヘルメット内部を換気することのできるヘルメットが提案されている。このヘルメットでは、ヘルメット本体と頭部とを空間を保って装着するための頭部保持帯（受枠）内側と頭部との間は空気排出口が形成されるように構成する一方、該保持帯外側とヘルメットとの間は閉塞部材を充填して空気流を遮断し、送風ファンからの空気流が頭皮に近いところを通るようにしている。また、引用文献２において提案されているヘルメットでは、ヘルメット本体（帽体）の内頂部位置に取付けたファン（電動排風機）とこのファンからヘルメット本体内面に沿って後頭部縁まで繋げて設けられた排気通路により、ヘルメット内部の湿った空気を外部に排出している。
【０００４】
上記したヘルメットでは、ファンにより吸引ないしは排出した空気流は、ヘルメット内部に設けた空気排出口や排風路を経由して、ヘルメット外部に流出する構造である。これらの空気排出口や排風路はいずれもヘルメット内側に設けられるため、大きさには制限があり、狭い流路となり風量に限界を生じ、ヘルメット内部の環境改善が十分ではなく快適な状態が常に保たれるものではなかった。また、十分な風量を得るためにファンとして大容量のものを用いた場合には、ヘルメットの重量が重くなってしまい、装着者の負担となり作業効率の向上には向いていない。
【０００５】
一方特許文献３や４には、ヘルメット本体と頭部との間に内装される椀状ないしは半球状のライナー本体（インサート体）に空気の流路とファンを設置して、ヘルメット内部の空気を効率よく排出することのできるヘルメットが提案されているが、これらのヘルメットも上記のヘルメットと同様に、ヘルメット内部での制約を受け、空気の流路は狭くなっているため、前記した問題点は解消されていない。
【先行技術文献】
【特許文献】
【０００６】
【特許文献１】特許第４４７８１３４号公報
【特許文献２】登録実用新案第３１１３２８０号公報
【特許文献３】特開２０１６−１０２２８２号公報
【特許文献４】登録実用新案第３２０４１４４号公報
【発明の概要】
【発明が解決しようとする課題】
【０００７】
本発明の課題は、ヘルメット装着時に、ヘルメット内部の熱や湿気のこもった空気を効率よく換気し、ヘルメット内部を常に快適な状態に保ち、作業効率の低下や安全性の低下を来さない吸排気機能付ヘルメットを提供することである。
【課題を解決するための手段】
【０００８】
本願の発明者は、電池技術の発展により、リチウムイオン電池のような高出力高容量の電池が得られるようになり、また、高圧高風量であって小型の軽量ファンが入手できるようになったことに鑑み、ヘルメットにファンを複数設けて、上記の課題を解消するために種々検討を行い、以下の発明に至った。
【０００９】
本発明のヘルメットは、ヘルメット本体の外表面に、頭頂部から後頭部下端まで連続して延び、その両末端が開口部となっている吸排気ダクトが設けられ、
吸排気ダクトは隔壁により、頭頂部近傍のダクト前部と、該前部に続き後頭部下端まで延びるダクト後部とに分割されており、
ダクト前部は、該前部とヘルメット内部とを連通する外気吸入ファン及び外気吸入孔が設けられ、末端の開口部を吸気口とする外気吸入部を構成し、
ダクト後部は、該後部とヘルメット内部とを連通する排気ファンが設けられ、末端の開口部を排気口とする排気部を構成し、
頭部に密着してヘルメットを保持するための頭部保持帯とヘルメット本体との間隙は充填材が設置され封鎖されていることを特徴とする。
【００１０】
上記のヘルメットでは、吸気と排気とをそれぞれ独立して担う二つのファンと、ヘルメット本体の外表面に設けられて十分な通風路を確保した吸排気ダクトとを組み合わせているため、次に示す作用動作にて、効率よくヘルメット内部の換気を行い、ヘルメット内の雰囲気を常に快適な状態に保ち、装着者に爽快感を与える。
【００１１】
吸排気ダクトのダクト前部の天井部や側壁部に設けられた外気吸入孔や末端の開口部である吸気口から、外気がダクト前部を経由して、外気吸入ファンによりヘルメット本体内に取り入れられる。そして、取り込まれた外気はヘルメット内部のあらゆる方向に拡散し、ヘルメット内部に滞留した湿気を含んだ熱気と混ざり合い、次いで排気ファンによりヘルメット内部より吸い出され、ダクト後部を経由して排気される。この時、ヘルメット本体と頭部との間の空間は、頭部保持帯と設置された充填材によりヘルメット本体の下端部近傍で封鎖されているために、外気吸入ファンにより取り込まれた外気は、ヘルメット内部にて熱気と十分に混ざり合うと共に、ヘルメット本体の下端部から新たな外気が外部より流れ込むことがないため、排気ファンによる排気においてはヘルメット内部のみの空気だけを確実に効率よく排出することができ、ダクト後部を経由して末端の排気口から外部に排気される。この排気口は後頭部下端に位置するため、開口部からの排気の流れは首筋に当たり、この部分を冷やすことができる。
【００１２】
さらに、上記の吸排気ダクトは、隔壁によりダクト前部とダクト後部とに分割されており、ダクト内にては吸入外気と排気とが混合することがなく、的確な吸排気効率を得ることができる。
【００１３】
また、上記の頭部保持帯と充填材による封鎖は、ヘルメットに設けられた各ファンから発生するモーターの回転音や羽根の風切音などの音をヘルメット内部に封じ込め、騒音を格段に下げる役割も果たしているが、さらに、ヘルメットの着用者の左右のこめかみ部に対応する部分の二箇所に、遮音パッド部を充填材に設けることで、騒音を一層防ぐことができる。
【００１４】
さらに、本発明のヘルメットは、前記の外気吸入孔を覆うことのできるスライド式防護カバーが、ダクト天井部にスライド移動可能に取付けられていることが好ましく、雨降り時には、この防護カバーをダクト前部のダクト天井部にスライド移動させ外気吸入口を覆い、雨滴が内部に侵入するのを防ぐことが可能となる。
【００１５】
また、吸排気機能付きヘルメットは、ＬＥＤから構成される照明具を前記ダクト前部の末端の開口部に挿入装着したヘルメットであることが好ましく、さらにヘルメット本体の内側面にリチウムイオン電池を取付けたヘルメットであることが好ましい。
【発明の効果】
【００１６】
本発明のヘルメットでは、より多くの熱が放出される頭頂部に直接新鮮な外気を当てることにより体温の上昇を抑えると共に、導入された外気は頭部周辺に溜まっている熱気と混ざり、頭部周辺のヘルメット内の空気の温度を下げ、次いで排気ファンにより外部に排出される。この一連の作用動作により、ヘルメット内の雰囲気は常に快適な状態に保たれる。さらに、熱気のなくなったヘルメット内の空気は外部への排出に際して、前記したように排気の流れは首筋に当たり、この部分を冷やし、快適さを一層高め、また充填材による封鎖と遮音パット部の設置は騒音を下げるため、本ヘルメットを装着する時には作業効率の低下や安全性の低下などを来すことがない。
【００１７】
また、スライド式保護カバーを設けることにより、雨天の作業にも使用でき、さらに、照明具を追加装着することで、夜間や地下現場などの暗所での作業にも使用できる。また、ヘルメット本体の内表面にリチウムイオン電池を取り付けることにより、ファンや照明具へ電力の供給するための電源コードをヘルメット内表面に沿って配置することができ、ヘルメットから引き出す必要がなく、ヘルメット装着時に作業の邪魔にならない。
【００１８】
そして、吸排気ダクトはヘルメット本体の外表面に取付ける構造であり、十分な大きさのダクトとすることができ、さらに、ヘルメット本体の加工はファンの取付け部となる貫通孔を設けるだけでよく、既存のヘルメットも利用することができる。
【図面の簡単な説明】
【００１９】
【図１】本発明のヘルメットの側面断面説明図である。
【図２】ヘルメットの下方から見た平面図（ａ）と遮音パッド部が設けられた充填材の斜視説明図（ｂ）である。
【図３】スライド式保護カバーをダクト前部にスライド移動させたヘルメットの側面断面説明図である。
【図４】照明具の斜視図である。
【図５】照明具を装着したヘルメットの正面図である。
【発明を実施するための形態】
【００２０】
以下本発明の実施例につき、図を参照にして詳細な説明を行う。
【００２１】
図１は本発明のヘルメットの側面断面説明図であり、ヘルメット本体１の外表面に吸排気ダクト２が設けられている。吸排気ダクト２は頭頂部から後頭部下端まで連続して延びており、その両末端の開口部はそれぞれ吸気口９及び排気口１０となっており、さらに隔壁３により、頭頂部近傍のダクト前部４と、それに続き後頭部下端まで延びるダクト後部５とに分割されている。
【００２２】
ダクト前部４には、外気吸入ファン７が設けられ、ヘルメット内部と連通しており、さらにダクト天井部１５に外気吸入孔６が設けられ、末端の開口部を吸気口９とするダクト前部４は外気吸入部となっており、矢印で示すように外気を吸入し、ヘルメット装着者の頭頂部に直接新鮮な外気を当てる役割を果たしている。この時、外気の吸入は、外気吸入孔６や、末端の吸気口９から吸入される。また、図５に示すように、外気吸入孔６はダクト側壁部１７にも設けられる。
【００２３】
ダクト後部５には、排気ファン８が設けられ、ヘルメット内部と連通しており、末端の開口部は排気口１０になっており、図の矢印で示すようにヘルメット内部の空気を排出する役割を果たし、ダクト後部５は排気部となっている。
【００２４】
また、ヘルメットの内部にはハンモック体１１と頭部保持帯１２とが設けられており、頭部保持帯１２を頭部に密着装着して、ヘルメットを装着することができる。この場合、ヘルメット本体１と頭部との間に一定の空間を保持することができ、ヘルメット外部からの衝撃が頭部に直接当たるのを避けている。そして、頭部に密着する頭部保持帯１２とヘルメット本体１との間隙は充填材１３が設置され封鎖されているため、保持されたこの空間はヘルメット本体１の下端部近傍にて封鎖されている。そのため、外気吸入ファン７により取り込まれた外気は、ヘルメット装着者の頭頂部に当たった後、ヘルメット下方から外部に排出されることなく、この保持された空間内に留まり、矢印で示すように頭部周辺に溜まっている熱気と混ざり、頭部周辺のヘルメット内の空気の温度を下げ、次いで排気ファン８により、ダクト後部５を経由して、排気口１０より外部に排出される。この時、ヘルメット本体１の下端部近傍にて封鎖されており、新たな外気が外部より流れ込むことがないため、排気は効率よく的確に行われる。そして、この排気口１０よりの排気は温度が下がっているため、排気が首筋に当たることにより装着者に爽快感を与えることができる。
【００２５】
図１や２に示すように、充填材１３は頭部保持帯１２とヘルメット本体１との間隙に、頭部を一周するように設置され、この間隙を封鎖している。さらに、充填材１３には、ヘルメット装着者のこめかみ部に相当する部分の二箇所に、遮音パッド部１４が突状に設けられている。この遮音パッド部１４はヘルメット装着にちょうど耳のまえに設置されており、充填材１３と共にヘルメット内部からの騒音を一層遮断するのに寄与している。
【００２６】
上記の充填材１３を構成する素材は、ヘルメットが受ける外部からの衝撃を吸収して頭部への衝撃を和らげ、かつ空気流や音を遮る密閉性を維持できる特性を持つことが要求される。そのような素材としては、ゴムなどの弾性体、軟質合成樹脂、発泡合成樹脂、コルク、編織物、不織布などが挙げることができ、天然ゴムや各種の合成ゴム、ポリウレタンなどの軟質合成樹脂、スポンジ、ウレタンフォーム、発泡ポリスチレン、発泡ポリエチレンなどの発泡合成樹脂、コルク、天然又は合成繊維からなる編織物、フェルト類などを用いることができる。特に、発泡合成樹脂、コルク、フェルト等の多孔性素材が好ましく用いられる。
【００２７】
遮音パッド部１４は、充填材１３と一体に成形することで設けてもよいし、別個に成形した後、充填材に接合して設けてもよい。遮音パッド１４を構成する素材は充填材１３と同一の素材であってもよく、別の特性の素材を用いてもよい。また、遮音パッド１４は、充填材１３のように間隙を封鎖する役割は持っていないため、素材としては硬質の合成樹脂や木材などの素材も用いることができる。
【００２８】
また、図に示した実施例では、吸排気ダクト２はヘルメット本体１の外表面を床部として利用して、ダクト天井部１６とダクト側壁部１７（図５に示す）と共にダクトに構成され、隔壁３によりダクト前部４とダクト後部５とに分割されている。しかしながら、この構成に限定されることはなく、ヘルメット本体１とは別の板材を床部としてダクトを構成した後、ヘルメット本体１の外表面に床部を密着設置してもよい。この場合でも、前記したファンの配置等のダクト構成は同様なものとしておく必要がある。
【００２９】
さらに、吸排気ダクト２にはスライド式保護カバー１５が設けられており、ダクト天井部１６にスライド移動可能に取り付けられている。図1ではダクト天井部１６の後頭部下端に移動している状態を示しており、図３ではダクト天井部１６のダクト前部４の場所に移動させた状態を示している。図３に示した状態では、ダクト天井部１６に設けられた外気吸入孔６はスライド式保護カバー１５で覆われているため、雨天時に使用する場合でも雨水が内部に入り込み、ファンのモーターを故障させることを防ぐことができる。この場合、ダクト天井部１６に設けた吸気孔６からの吸気は制限されるため、図５に示すように吸気孔６はダクト側壁部１７にも設けてあることが好ましい。
【００３０】
スライド式保護カバー１５はスライド移動可能に取付けられていれば、その取付け手段は特に限定されないが、本実施例では、ダクト天井部１６の両側縁部をエッジ１８（図５に示す）として構成し、それに嵌めこむことで、スライド移動可能に取り付けている。取付け手段としては、ダクト天井部１６の両側縁部近傍に前後方向に延びる溝を形成して、この溝を利用する方法などでもよく、特に限定されない。
【００３１】
また、本実施例のダクト形状としては、断面がほぼ矩形である箱体状のダクトを示したが、形状は特に限定されず、例えば、断面が半円ないしは半楕円のかまぼこ形状のダクトであってもよい。この場合は、上記のスライド式保護カバーは外側上方部分のみに取付けても、外側全面に取付けてもよい。
【００３２】
吸排気ダクト２に取り付けられる外気吸入ファン７及び排気ファン８は、それぞれダクト前部４及びダクト後部５と、ヘルメット内部とを連通するように設けられている。図に示した実施例では、それぞれのファンはヘルメット本体１に設けた貫通孔に嵌めこんで設けているが、ダクトとヘルメット内部とが連通しておればよく、この例に限定されるものではない。すなわち、ヘルメット本体１に設けた貫通孔をファンによる空気の流れが通過できればよく、ファンの設置場所は設けた貫通孔の位置に合わせて、ヘルメット本体１の内表面や、外表面（吸排気ダクト２の床面）のいずれかにしてもよい。外気吸入ファン７や排気ファン８としては、その形式は特に限定されず、各種の小型モーターファンを用いることができる。特に、送風方向がモーターの回転軸に沿って流れる軸流ファンが好ましく用いられる。
【００３３】
図４は夜間など暗所での作業のために、ヘルメットに装着され、前方を照射することができる照明具２０の斜視図である。照明具２０において、ＬＥＤランプ２１が設置されている照明具本体２２には支持軸２３が設けられている。そして、図５に示すように、吸排気ダクト２の吸気口９において、この軸を介してダクト側壁部１７に回転可能に取付けられることにより、照明具２０の照射方向を上下に調整することができる。この場合、照明具２０は、吸気口９を完全に塞ぐことのないように取り付けられ、照射方向の調整可能とし、さらには、照明具本体２２で、外気吸入孔６や吸気ファン７を塞ぐことのないように取り付けられる。
【００３４】
また前記したように、ヘルメット本体１とヘルメット装着者の頭部との間には一定の空間が保持される。そのため、小型のリチウムイオン電池をヘルメット本体１の内表面に取付けることで、頭部と接触することなくこの空間に電池を設置することができる。この設置した電池と各ファンや照明具との配線はヘルメット本体に沿わせて配線することができるため、ヘルメットの装着時に配線が邪魔になることがない。
【符号の説明】
【００３５】
１    ヘルメット本体
２    吸排気ダクト
３    隔壁
４    ダクト前部
５    ダクト後部
６    外気吸入孔
７    外気吸入ファン
８    排気ファン
９    吸気口
１０  排気口
１１  ハンモック体
１２  頭部保持帯
１３  充填材
１４  遮音パッド部
１５  スライド式保護カバー
１６  ダクト天井部
１７  ダクト側壁部
１８  エッジ
２０  照明具
２１  ＬＥＤランプ
２２  照明具本体
２３  支持軸
【図１】
2018104826.tif 000003
【図２】
2018104826.tif 000004
【図３】
2018104826.tif 000005
【図４】
2018104826.tif 000006
【図５】
2018104826.tif 000007